(57)【要約】【課題】正逆どちらの回転でもドラム又は軸の回転を停止しかつその停止を解除する。【解決手段】カムクラッチ装置１７は、ドラムに連結された操作具の一方向又は他方向への引下げ操作によりドラムを一方向に回転又は他方向に回転させ、操作具の操作の停止によりドラムの回転を停止する。第１クラッチ４１は、停止しているドラムに対する操作具の一方向への連続操作によりドラムを一方向に連続的に回転させかつ停止しているドラムに対する操作具の一方向への僅かな操作によりドラムの停止を解除し、ドラムの他方向への回転を許容する。第２クラッチ４２は、停止しているドラムに対する操作具の他方向への連続操作によりドラムを他方向に連続的に回転させかつ停止しているドラムに対する操作具の他方向への僅かな操作によりドラムの停止を解除し、ドラムの一方向への回転を許容する。【選択図】図１
2011104155.tif 000002
【特許請求の範囲】
【請求項１】
ドラム(13,67,72)又は軸に連結された操作具(18,84)を一方向又は他方向に引下げ操作することにより前記ドラム(13,67,72)又は軸を一方向に回転又は他方向に回転させるとともに、前記操作具(18,84)の操作を止めることにより前記ドラム(13,67,72)又は軸の回転を停止するように構成されたカムクラッチ装置であって、
停止している前記ドラム(13,67,72)又は軸に対して前記操作具(18,84)を一方向に連続操作することにより前記ドラム(13,67,72)又は軸を一方向に連続的に回転させかつ停止している前記ドラム(13,67,72)又は軸に対して前記操作具(18,84)を一方向に僅かに操作することにより前記ドラム(13,67,72)又は軸の停止を解除するとともに前記ドラム(13,67,72)又は軸の他方向への回転を許容する第１クラッチ(41)と、
停止している前記ドラム(13,67,72)又は軸に対して前記操作具(18,84)を他方向に連続操作することにより前記ドラム(13,67,72)又は軸を他方向に連続的に回転させかつ停止している前記ドラム(13,67,72)又は軸に対して前記操作具(18,84)を他方向に僅かに操作することにより前記ドラム(13,67,72)又は軸の停止を解除するとともに前記ドラム(13,67,72)又は軸の一方向への回転を許容する第２クラッチ(42)と
を備えたカムクラッチ装置。
【請求項２】
前記ドラム(13,67,72)又は軸に可撓性を有する線状体(14,64,66)を繰出し可能に巻取るための巻取り装置として用いられ、前記巻取り装置は、前記操作具(18,84)で前記ドラム(13,67,72)又は軸を一方向又は他方向に回転させることにより前記線状体(14,64,66)を繰出し、前記操作具(18,84)で前記ドラム(13,67,72)又は軸を他方向又は一方向に回転させることにより前記線状体(14,64,66)を巻取るように構成された請求項１記載のカムクラッチ装置。
【請求項３】
前記操作具(18,84)による前記第１クラッチ(41)の一方向への連続操作は、前記操作具(18,84)を引下げた後に前記ドラム(13,67,72)又は軸の回転を停止させる第１連続操作と、前記第１連続操作後に引続いて前記操作具(18,84)を引下げた後に前記ドラム(13,67,72)又は軸の回転を停止させる第２連続操作とを含むか、或いはその後の前記第１及び第２連続操作の繰返しを更に含み、
前記操作具(18,84)による前記第２クラッチ(42)の他方向への連続操作は、前記操作具(18,84)を引下げた後に前記ドラム(13,67,72)又は軸の回転を停止させる第１連続操作と、前記第１連続操作後に引続いて前記操作具(18,84)を引下げた後に前記ドラム(13,67,72)又は軸の回転を停止させる第２連続操作とを含むか、或いはその後の前記第１及び第２連続操作の繰返しを更に含む請求項１記載のカムクラッチ装置。
【請求項４】
前記第１クラッチ(41)がカム(19)に形成された第１カム溝(21)を有し、前記第２クラッチ(42)が前記カム(19)に形成された第２カム溝(22)を有し、前記第１カム溝(21)と前記第２カム溝(22)とが逆向きになるように前記第１及び第２カム溝(21,22)が前記カム(19)に形成された請求項１又は３記載のカムクラッチ装置。
【請求項５】
前記操作具である操作コード(18)を操作して、前記ドラムである巻取りドラム(13)に昇降コード(14)を繰出し可能に巻取ることにより、幕体(16c)を展開可能にたくし上げ又は畳み上げ、前記操作コード(18)と前記巻取りドラム(13)を連結する回転軸(12)に、請求項１ないし４いずれか１項に記載のカムクラッチ装置(17)が設けられた間仕切り装置。
【請求項６】
前記操作具である操作コード(84)を操作して、前記ドラムである前幕用ドラム(67)に前幕用昇降コード(64)を繰出し可能に巻取りかつ前記ドラムである後幕用ドラム(72)に後幕用昇降コード(66)を繰出し可能に巻取ることにより、前幕(62)及び後幕(63)をそれぞれ別々に又は同時に展開可能に畳み上げ、前記操作コード(84)及び前記後幕用ドラム(72)を連結する後幕用軸部(73)又は前記操作コード(84)及び前記前幕用ドラム(67)を連結する前幕用軸部(68)のいずれか一方に、請求項１又は４いずれか１項に記載のカムクラッチ装置(17)が設けられた二重スクリーン日射遮蔽装置。
【発明の詳細な説明】
【技術分野】
【０００１】
本発明は、正逆どちらの回転でもドラム又は軸の回転を停止しかつその停止を解除することができるカムクラッチ装置と、このカムラッチ装置を用いた間仕切り装置及び二重スクリーン日射遮蔽装置に関するものである。
【背景技術】
【０００２】
従来、上端がヘッドレールにそれぞれ係止された第１及び第２幕体がヘッドレールの前後又は左右に配置され、ヘッドレール内に第１及び第２ドラムが回動可能に支持され、一端側が第１及び第２ドラムにそれぞれ巻取り又は繰出し可能に連結された第１及び第２昇降コードの他端側が第１及び第２幕体にそれぞれ連結され、更に第１及び第２ドラムを相対回転可能に貫通してヘッドレールに沿って延びるようにヘッドレールに架設された回転軸がその一端側で回転操作可能かつ回転停止操作可能に構成されたローマンシェードが開示されている（例えば、特許文献１参照。）。このローマンシェードでは、第１及び第２ドラムに隣接してヘッドレールに２組のクラッチ機構が支持される。これらのクラッチ機構は、第１及び第２ドラムを回転軸の回転方向に結合する結合位置と、その結合を解く非結合位置との２位置間を回転軸の軸線方向に往復移動可能であって、ヘッドレールの一端側で交互に第１及び第２ドラムを回転軸の回転方向に結合するように操作可能な駆動部材を有する。また第１及び第２ドラムに隣接してヘッドレールに２組のストッパ機構が支持される。これらのストッパ機構は、第１及び第２ドラムをヘッドレールに固定するロック位置と、その固定を解く非ロック位置との２位置間を回転軸の軸線方向に往復移動可能であって、ヘッドレールの一端側で２組のクラッチ機構と同期して軸線方向に往復移動するように操作可能な固定部材を有する。更にクラッチ機構とストッパ機構の交互動作で、第１及び第２巻取りドラムのいずれを回転軸に結合するかを選択することにより、１本の回転軸で２枚の幕体を昇降操作できるように構成される。
【０００３】
一方、第１及び第２ドラムが回転軸に対して軸線方向に移動不能に設けられ、回転軸がその一端側に設けられた操作部の操作により軸線方向に往復移動可能に設けられる。また駆動部材及び固定部材は回転軸上に軸線方向に移動不能に取付けられ、回転軸の軸線方向への往復移動により駆動部材及び固定部材が動作してクラッチ機構とストッパ機構とが交互に動作するように構成される。上記操作部は、ヘッドレール内の操作部受けに支持された昇降用プーリと、切替え用プーリと、昇降用プーリに巻掛けられた一方の操作チェーンと、切替え用プーリに巻掛けられた他方の操作チェーンと、カム機構部とを有する。この昇降用プーリは回転軸に対して回転方向に一体であって軸線方向に相対移動可能に操作部受けに支持され、一方の操作チェーンを回転操作することで昇降用プーリ及び回転軸が回転するように構成される。昇降用プーリの下部には係止部が設けられ、一方の操作チェーンを係止部に係止させることによって昇降用プーリ及びカム部材が回転するようになっている。またカム機構部は、カム部材、従動部材及びばねを有する。このカム機構部は、昇降用プーリと一体のカム部材の９０度の回転で、受動部材を回転軸とともに軸線方向に往復移動させるためのものであり、回転軸の回転に影響を与えない。更に切替え用プーリは回転軸に対して回転方向にも軸線方向にも自由にかつ回転軸の軸周りに回転可能に操作部受けに支持される。他方の操作チェーンを回転操作することで昇降用プーリ及びカム部材が回転するように構成される。
【０００４】
このように構成されたローマンシェードでは、他方の操作チェーンを引き回して昇降用プーリを９０度回転させることにより、回転軸を軸線方向に移動させて、クラッチ機構とストッパ機構とを交互に動作させ、回転軸の回転を伝えるドラムを選択する。そして一方の操作チェーンを引き回して昇降用プーリとともに回転軸を回転させることで、選択されたいずれかのドラムを回転させて、いずれかの昇降コードをドラムに巻取り又はドラムから繰出すことで、任意の幕体を昇降させることができる。この結果、前後又は左右の２枚の幕体を１本の回転軸のみで昇降操作できるので、ローマンシェードの昇降機構部を小型にすることができる。
【先行技術文献】
【特許文献】
【０００５】
【特許文献１】特開２００６−３０４９８３号公報（請求項１及び２、段落［００１７］、段落［００１８］、段落［００２１］）
【発明の概要】
【発明が解決しようとする課題】
【０００６】
しかし、上記従来の特許文献１に示されたローマンシェードでは、回転軸が１本であるけれども、クラッチ機構及びストッパ機構が２つずつ必要であるため、機構が複雑になる不具合があった。また、上記従来の特許文献１に示されたローマンシェードでは、２本の操作チェーンを操作しなければならず、操作性が煩わしい問題点もあった。
【０００７】
本発明の第１の目的は、正逆どちらの回転でもドラム又は軸の回転を停止しかつその停止を解除することができる、カムクラッチ装置を提供することにある。本発明の第２の目的は、１本の操作コードを幕の両側から操作して幕の展開及び畳み上げを可能とする、即ち１本の操作コードをどちらの方向へ操作しても、その幕を展開したり或いは畳み上げることができる、カムクラッチ装置を用いた間仕切り装置を提供することにある。本発明の第３の目的は、１本の操作コードを操作することにより、前幕及び後幕を同時に或いは前幕又は後幕のいずれかを展開可能に畳み上げることができる、カムクラッチ装置を用いた二重スクリーン日射遮蔽装置を提供することにある。
【課題を解決するための手段】
【０００８】
本発明の第１の観点は、図１〜図５に示すように、ドラム１３又は軸に連結された操作具を一方向又は他方向に引下げ操作することによりドラム１３又は軸を一方向に回転又は他方向に回転させるとともに、操作具１８の操作を止めることによりドラム１３又は軸の回転を停止するように構成されたカムクラッチ装置であって、停止しているドラム１３又は軸に対して操作具１８を一方向に連続操作することによりドラム１３又は軸を一方向に連続的に回転させかつ停止しているドラム１３又は軸に対して操作具１８を一方向に僅かに操作することによりドラム１３又は軸の停止を解除するとともにドラム１３又は軸の他方向への回転を許容する第１クラッチ４１と、停止しているドラム１３又は軸に対して操作具１８を他方向に連続操作することによりドラム１３又は軸を他方向に連続的に回転させかつ停止しているドラム１３又は軸に対して操作具１８を他方向に僅かに操作することによりドラム１３又は軸の停止を解除するとともにドラム１３又は軸の一方向への回転を許容する第２クラッチ４２とを備えたカムクラッチ装置である。
【０００９】
本発明の第２の観点は、第１の観点に基づく発明であって、更に図１〜図５に示すように、ドラム１３又は軸に可撓性を有する線状体１４を繰出し可能に巻取るための巻取り装置として用いられ、巻取り装置は、操作具１８でドラム１３又は軸を一方向又は他方向に回転させることにより線状体１４を繰出し、操作具１８でドラム１３又は軸を他方向又は一方向に回転させることにより線状体１４を巻取るように構成されたことを特徴とする。
【００１０】
本発明の第３の観点は、第１の観点に基づく発明であって、更に図１〜図５に示すように、操作具１８による第１クラッチ４１の一方向への連続操作は、操作具１８を引下げた後にドラム１３又は軸の回転を停止させる第１連続操作と、第１連続操作後に引続いて操作具１８を引下げた後にドラム１３又は軸の回転を停止させる第２連続操作とを含むか、或いはその後の第１及び第２連続操作の繰返しを更に含み、操作具１８による第２クラッチ４２の他方向への連続操作は、操作具１８を引下げた後にドラム１３又は軸の回転を停止させる第１連続操作と、第１連続操作後に引続いて操作具１８を引下げた後にドラム１３又は軸の回転を停止させる第２連続操作とを含むか、或いはその後の第１及び第２連続操作の繰返しを更に含むことを特徴とする。
【００１１】
本発明の第４の観点は、第１又は第３の観点に基づく発明であって、更に図１〜図５に示すように、第１クラッチ４１がカム１９に形成された第１カム溝２１を有し、第２クラッチ４２がカム１９に形成された第２カム溝２２を有し、第１カム溝２１と第２カム溝２２とが逆向きになるように第１及び第２カム溝２１，２２がカム１９に形成されたことを特徴とする。
【００１２】
本発明の第５の観点は、図１〜図５に示すように、操作具である操作コード１８を操作して、ドラムである巻取りドラム１３に昇降コード１４を繰出し可能に巻取ることにより、幕体１６ｃを展開可能にたくし上げ又は畳み上げ、操作コード１８と巻取りドラム１３を連結する回転軸１２に、第１ないし第４の観点のいずれかに記載のカムクラッチ装置１７が設けられた間仕切り装置である。
【００１３】
本発明の第６の観点は、図９〜図１６に示すように、操作具である操作コード８４を操作して、ドラムである前幕用ドラム６７に前幕用昇降コード６４を繰出し可能に巻取りかつドラムである後幕用ドラム７２に後幕用昇降コード６６を繰出し可能に巻取ることにより、前幕６２及び後幕６３をそれぞれ別々に又は同時に展開可能に畳み上げ、操作コード８４及び後幕用ドラム７２を連結する後幕用軸部７３又は操作コード８４及び前幕用ドラム６７を連結する前幕用軸部６８のいずれか一方に、第１ないし第４の観点のいずれかに記載のカムクラッチ装置１７が設けられた二重スクリーン日射遮蔽装置である。
【発明の効果】
【００１４】
本発明の第１の観点のカムクラッチ装置では、第１クラッチが、操作具を一方向に連続操作することによりドラム等を一方向に連続的に回転させ、かつ操作具を一方向に僅かに操作することによりドラム等の停止を解除するとともにドラム等の他方向への回転を許容し、第２クラッチが、操作具を他方向に連続操作することによりドラム等を他方向に連続的に回転させ、かつ操作具を他方向に僅かに操作することによりドラム等の停止を解除するとともにドラム等の一方向への回転を許容するので、ドラム等を一方向又は他方向のどちらに回転しても、ドラム等の回転を停止することができるとともに、その停止を解除することができる。
【００１５】
本発明の第２の観点のカムクラッチ装置では、このカムクラッチ装置をドラム等に線状体を繰出し可能に巻取るための巻取り装置として用いたので、ドラム等を一方向又は他方向のどちらに回転しても、線状体をドラム等に巻取ったり或いは線状体をドラム等から繰出すことができる。
【００１６】
本発明の第３の観点のカムクラッチ装置では、操作具による第１クラッチの一方向への連続操作は、第１連続操作後に行う第２連続操作や、第１及び第２連続操作の繰返しを含み、操作具による第２クラッチの他方向への連続操作は、第１連続操作後に行う第２連続操作や、第１及び第２連続操作の繰返しを含むので、操作具を停止させずに連続的に操作しなくても、操作具を停止させつつ引続いて操作しても、ドラム等を一方向又は他方向に回転させることができる。
【００１７】
本発明の第４の観点のカムクラッチ装置では、第１カム溝と第２カム溝とが逆向きになるように、第１及び第２カム溝を１個のカムに形成したので、カムクラッチ装置の小型化を図ることができるとともに、カムクラッチ装置の部品点数を低減できる。
【００１８】
本発明の第５の観点の間仕切り装置では、幕体を全て展開すると、幕体の正面側及び背面側という概念が払拭されるため、操作コードの一方向への回転及び他方向への回転の選択が不要となり、操作コードの操作者に近い側の部分を操作することにより、幕体を操作することができる。この結果、１本の操作コードを幕体の正面側又は背面側のどちらから操作しても、複数の幕体を展開したり或いはたくし上げることができる。
【００１９】
本発明の第６の観点の二重スクリーン日射遮蔽装置では、後幕用軸部又は前幕用軸部の回転が一方向から他方向に変わっても、１個のカムクラッチ装置及び１本の操作コードで対応が可能である。即ち、１本の操作コードを操作することにより、１個のカムクラッチ装置が機能して、前幕及び後幕を同時に或いは前幕又は後幕のみを展開可能に畳み上げることができる。
【図面の簡単な説明】
【００２０】
【図１】本発明第１実施形態の間仕切り装置の操作コードを幕体の正面側から引下げ操作したときのカムクラッチ装置の動作を示す円筒カムの展開図である。
【図２】その間仕切り装置の操作コードを幕体の背面側から引下げ操作したときのカムクラッチ装置の動作を示す円筒カムの展開図である。
【図３】その間仕切り装置の要部破断正面図である。
【図４】図３のＡ−Ａ線断面図である。
【図５】そのカムクラッチ装置の円筒カムの斜視図である。
【図６】そのカムクラッチ装置を示す図７のＢ−Ｂ線断面図である。
【図７】そのカムクラッチ装置を示す図６のＣ−Ｃ線断面図である。
【図８】図３のＤ矢視図である。
【図９】本発明第２実施形態の二重スクリーン日射遮蔽装置の操作コードを操作して前幕及び後幕を同時に展開又は畳み上げるときのカムクラッチ装置の動作を示す円筒カムの展開図である。
【図１０】その二重スクリーン日射遮蔽装置の操作コードを操作して前幕のみを展開又は畳み上げるときのカムクラッチ装置の動作を示す円筒カムの展開図である。
【図１１】前幕及び後幕を全て展開したときのドラム及び昇降コードの状態を示す図１４のＥ−Ｅ線断面図である。
【図１２】前幕及び後幕を全て畳み上げたときのドラム及び昇降コードの状態を示す図１５のＦ−Ｆ線断面図である。
【図１３】後幕を全て展開し前幕を畳み上げたときのドラム及び昇降コードの状態を示す図１６のＧ−Ｇ線断面図である。
【図１４】前幕及び後幕を全て展開した状態を示す日射遮蔽装置の側面図である。
【図１５】前幕及び後幕を全て畳み上げた状態を示す日射遮蔽装置の側面図である。
【図１６】後幕を全て展開し前幕を畳み上げた状態を示す日射遮蔽装置の側面図である。
【図１７】そのカムクラッチ装置を示す図１８のＨ−Ｈ線断面図である。
【図１８】そのカムクラッチ装置を示す図１７のＩ−Ｉ線断面図である。
【図１９】そのカムクラッチ装置の円筒カムの斜視図である。
【発明を実施するための形態】
【００２１】
次に本発明を実施するための形態を図面に基づいて説明する。
＜第１の実施の形態＞
図３及び図４に示すように、間仕切り装置１０は、室内の天井に取付けられたヘッドレール１１と、ヘッドレール１１内にこのレール１１の長手方向に延びて設けられた回転軸１２と、この回転軸１２に嵌着された巻取りドラム１３と、巻取りドラム１３から垂下され巻取りドラム１３に巻取り可能であって巻取りドラム１３から繰出し可能な昇降コード１４と、上端がヘッドレール１１に取付けられ昇降コード１４の巻取り又は繰出しによってたくし上げ又は展開される遮蔽部材１６と、回転軸１２に設けられ巻取りドラム１３の一方向又は他方向への回転或いは巻取りドラム１３の回転の停止等の切替えを行うカムクラッチ装置１７とを備える。回転軸１２はヘッドレール１１に回転可能に取付けられる。巻取りドラム１３はこの実施の形態では３個であり、各巻取りドラム１３から可撓性を有する昇降コード１４が１本ずつ垂下される。また回転軸１２の一端にはヘッドレール１１の端部に位置するように１個の操作プーリ（図示せず）が嵌着される。この操作プーリには無端の１本の操作コード１８が巻掛けられ、この操作コード１８を上下に操作することにより操作プーリが回転可能に構成される（図３及び図８）。そして、操作プーリの回転により回転軸１２及び巻取りドラム１３が回転し、これにより昇降コード１４が巻取りドラム１３に巻取られ又は巻取りドラム１３から繰出されるようになっている。
【００２２】
遮蔽部材１６は、ヘッドレール１１から垂下された２本のピッチキープコード１６ａと、これらのピッチキープコード１６ａにより鉛直方向に所定のピッチをあけてヘッドレール１１と平行に支持された複数の水平材１６ｂと、上縁が各水平材１６ｂに取付けられて垂下された複数の幕体１６ｃとを有する（図３及び図８）。幕体１６ｃの上縁は各水平材１６ｂの両側から垂下される、即ち各水平材１６ｂ毎に２枚の幕体１６ｃが垂下される。そして幕体１６ｃの高さはピッチキープコード１６ａにより支持された水平材１６ｂのピッチより長く形成される。これにより幕体１６ｃを展開したときに、各幕体１６ｃの下縁がその下側の幕体１６ｃの上縁に重なって、各幕体１６ｃ間に隙間が生じないようになっている。また巻取りドラム１３から垂下された昇降コード１４は複数の水平材１６ｂを貫通した後、最下段の水平材１６ｂに結合される。更に最上段の幕体１６ｃの上縁はヘッドレール１１に取付けられる。なお、無端の操作コード１８は間仕切り装置１０の端部に鉛直方向に延びる長円状に設けられ、操作コード１８の一方の略半分は展開した複数の幕体１６ｃの正面側に露出し、他方の略半分は展開した複数の幕体１６ｃの背面側に位置するように構成される（図８）。
【００２３】
一方、カムクラッチ装置１７は、巻取りドラム１３に回転軸１２及び巻取りプーリを介して連結された操作コード１８を一方向又は他方向に引下げ操作することにより巻取りドラム１３を一方向に回転又は他方向に回転させるとともに、操作コード１８の操作を止めることにより巻取りドラム１３の回転を停止するように構成される（図３、図４及び図８）。即ち、カムクラッチ装置１７は、間仕切り装置１０の巻取りドラム１３に昇降コード１４を繰出し可能に巻取るための巻取り装置として用いられる。この巻取り装置としてのカムクラッチ装置１７は、操作コード１８を操作して巻取りドラム１３を一方向又は他方向に回転させることにより昇降コード１４を繰出し、操作コード１８を操作して巻取りドラム１３を他方向又は一方向に回転させることにより昇降コード１４を巻取るように構成される。
【００２４】
カムクラッチ装置１７は、図１、図２及び図５〜図７に示すように、回転軸１２に嵌着され外周面に第１カム溝２１及び第２カム溝２２が形成された１個の円筒カム１９と、この円筒カム１９を収容するようにヘッドレール１１に取付けられ回転軸１２の軸方向に延びる１つのガイド溝２３ａが形成されたケース２３と、第１カム溝２１とガイド溝２３ａの重なる空間内を転動する第１転動体３１と、第２カム溝２２とガイド溝２３ａの重なる空間内を転動する第２転動体３２とを備える。またカムクラッチ装置１７は第１クラッチ４１と第２クラッチ４２とを備える。第１クラッチ４１は、円筒カム１９の外周面に形成された上記第１カム溝２１と、ケース２３に形成された上記ガイド溝２３ａと、第１カム溝２１とガイド溝２３ａの重なる空間内を転動する上記第１転動体３１とを有する。また第２クラッチ４２は、円筒カム１９の外周面に形成された上記第２カム溝２２と、ケース２３に形成された上記ガイド溝２３ａと、第２カム溝２２とガイド溝２３ａの重なる空間内を転動する上記第２転動体３２とを有する。なお、図１及び図２において、第１及び第２転動体３１，３２が第１及び第２カム溝２１，２２内を移動するように描かれているけれども、実際には第１及び第２転動体３１，３２はケース２３に形成されたガイド溝２３ａ内を軸方向に移動するだけであって、円筒カム１９が実線矢印とは反対方向に回転している。また図１（ａ）及び図２（ａ）の破線矢印は操作コード１８のうち幕体１６ｃの正面側に位置する部分を引下げたときの円筒カム１９の回転方向であり、図１（ａ）及び図２（ａ）の一点鎖線矢印は操作コード１８のうち幕体１６ｃの背面側に位置する部分を引下げたときの円筒カム１９の回転方向である。
【００２５】
第１カム溝２１は、図１、図２及び図５に詳しく示すように、円筒カム１９の一端側外周面に円筒カム１９の円周方向に延びて形成された無端の第１端溝２１ａと、円筒カム１９の中央外周面に円筒カム１９の円周方向に延びて形成された無端の第１中溝２１ｂと、第１端溝２１ａと第１中溝２１ｂとの間に円筒カム１９の円周方向に延びて形成され一端が第１端溝２１ａに接続され他端が第１中溝２１ｂに接続された第１連結溝２１ｃと、第１連結溝２１ｃと第１中溝２１ｂとの間に一端が第１連結溝２１ｃに接続され他端が第１中溝２１ｂに接続され更に図１（ａ）及び図２（ａ）の破線矢印の方向に突出する略Ｖ字状の第１Ｖ字溝２１ｄと、第１Ｖ字溝２１ｄの途中のコーナ部に形成された第１凹部２１ｅとを有する。第１連結溝２１ｃは、第１端溝２１ａから第１中溝２１ｂに向って左回りの螺旋状に形成される。また第１端溝２１ａには円筒カム１９の一端側に湾曲する第１外湾部２１ｆが形成され、第１連結溝２１ｃの第１端溝２１ａへの接続部は第１端溝２１ａの第１外湾部２１ｆの一端に一致して形成される。そして第１端溝２１ａと第１連結溝２１ｃとが略一直線となるように、第１端溝２１ａと第１連結溝２１ｃとが接続される。また第１中溝２１ｂには円筒カム１９の他端側に湾曲する第１内湾部２１ｇが形成され、第１Ｖ字溝２１ｄの第１中溝２１ｂへの接続部は第１中溝２１ｂの第１内湾部２１ｇの一端に一致して形成される。そして第１中溝２１ｂと第１Ｖ字溝２１ｄの端部とが略一直線となるように、第１中溝２１ｂと第１Ｖ字溝２１ｄとが接続される。また第１Ｖ字溝２１ｄの一端は第１端溝２１ａと第１連結溝２１ｃとの接続部近傍で第１連結溝２１ｃに接続され、第１Ｖ字溝２１ｄの他端は第１中溝２１ｂと第１連結溝２１ｃとの接続部近傍で第１中溝２１ｂに接続される。第１凹部２１ｅは第１転動体３１のほぼ半分を収容可能な大きさに形成される。第１転動体３１の残りの半分はガイド溝２３ａに収容される。更に第１Ｖ字溝２１ｄは、第１凹部２１ｅに収容された第１転動体３１が円筒カム１９の回転により第１中溝２１ｂではなく第１連結溝２１ｃに導かれるように若干変形したＶ字状に形成される。
【００２６】
第２カム溝２２は、図１、図２及び図５に詳しく示すように、第１カム溝２１と逆向きになるように円筒カム１９の外周面に並んで形成される。具体的には、第２カム溝２２は、円筒カム１９の他端側外周面に円筒カム１９の円周方向に延びて形成された無端の第２端溝２２ａと、円筒カム１９の中央外周面に円筒カム１９の円周方向に延びて形成された無端の第２中溝２２ｂと、第２端溝２２ａと第２中溝２２ｂとの間に円筒カム１９の円周方向に延びて形成され一端が第２端溝２２ａに接続され他端が第２中溝２２ｂに接続された第２連結溝２２ｃと、第２連結溝２２ｃと第２中溝２２ｂとの間に一端が第２連結溝２２ｃに接続され他端が第２中溝２２ｂに接続され更に図１（ａ）及び図２（ａ）の一点鎖線矢印の方向に突出する略逆Ｖ字状の第２Ｖ字溝２２ｄと、第２Ｖ字溝２２ｄの途中のコーナ部に形成された第２凹部２２ｅとを有する。第２連結溝２２ｃは、第２端溝２２ａから第２中溝２２ｂに向って左回りの螺旋状に形成される。第２端溝２２ａには円筒カム１９の他端側に湾曲する第２外湾部２２ｆが形成され、第２連結溝２２ｃの第２端溝２２ａへの接続部は第２端溝２２ａの第２外湾部２２ｆの一端に一致して形成される。そして第２端溝２２ａと第２連結溝２２ｃとが略一直線となるように、第２端溝２２ａと第２連結溝２２ｃとが接続される。また第２中溝２２ｂには円筒カム１９の一端側に湾曲する第２内湾部２２ｇが形成され、第２Ｖ字溝２２ｄの第２中溝２２ｂへの接続部は第２中溝２２ｂの第２内湾部２２ｇの一端に一致して形成される。そして第２中溝２２ｂと第２Ｖ字溝２２ｄの端部とが略一直線となるように、第２中溝２２ｂと第２Ｖ字溝２２ｄとが接続される。また第２Ｖ字溝２２ｄの一端は第２端溝２２ａと第２連結溝２２ｃとの接続部近傍で第２連結溝２２ｃに接続され、第２Ｖ字溝２２ｄの他端は第２中溝２２ｂと第２連結溝２２ｃとの接続部近傍で第２中溝２２ｂに接続される。第２凹部２２ｅは第２転動体３２のほぼ半分を収容可能な大きさに形成される。第２転動体３２の残りの半分はガイド溝２３ａに収容される。更に第２Ｖ字溝２２ｄは、第２凹部２２ｅに収容された第２転動体３２が円筒カム１９の回転により第２中溝２２ｂではなく第２連結溝２２ｃに導かれるように若干変形したＶ字状に形成される。なお、第１及び第２転動体３１，３２は金属製又はプラスチック製の球体により形成される。また図４の符号２４は回転軸１２の回転速度が過大になったときに減速させる遠心ブレーキとしての機能を有するスピードコントローラである。
【００２７】
上記第１クラッチ４１は、停止している巻取りドラム１３に対して操作コード１８を一方向に連続操作することにより巻取りドラム１３を一方向に連続的に回転させ、かつ停止している巻取りドラム１３に対して操作コード１８を一方向に僅かに操作することにより巻取りドラム１３の停止を解除するとともに巻取りドラム１３の他方向への回転を許容するように構成される。また第２クラッチ４２は、停止している巻取りドラム１３に対して操作コード１８を他方向に連続操作することにより巻取りドラム１３を他方向に連続的に回転させ、かつ停止している巻取りドラム１３に対して操作コード１８を他方向に僅かに操作することにより巻取りドラム１３の停止を解除するとともに巻取りドラム１３の一方向への回転を許容するように構成される。
【００２８】
ここで、操作コード１８による第１クラッチ４１の一方向への連続操作は、操作コード１８を一方向側に引下げた後（操作コード１８のうち幕体１６ｃの正面側に位置する部分を引下げた後）に巻取りドラム１３の回転を停止させる第１連続操作と、第１連続操作後に引続いて操作コード１８を一方向側に引下げた後に巻取りドラム１３の回転を停止させる第２連続操作とを含む。またその後の第１及び第２連続操作の繰返しも含む。一方、操作コード１８による第２クラッチ４２の他方向への連続操作は、操作コード１８を他方向側に引下げた後（操作コード１８のうち幕体１６ｃの背面側に位置する部分を引下げた後）に巻取りドラム１３の回転を停止させる第１連続操作と、第１連続操作後に引続いて操作コード１８を他方向側に引下げた後に巻取りドラム１３の回転を停止させる第２連続操作とを含む。またその後の第１及び第２連続操作の繰返しも含む。
【００２９】
このように構成された間仕切り装置１０の使用方法を説明する。複数の幕体１６ｃが全て展開した状態で、操作コード１８のうち幕体１６ｃの正面側に位置する部分を一方向に操作すると（引下げ操作すると）、操作プーリ、回転軸１２及び円筒カム１９が一方向に回転するので、第１クラッチ４１の第１転動体３１は第１中溝２１ｂ内を転動し、第２クラッチ４２の第２転動体３２は第２端溝２２ａ内を転動する（図１（ａ））。このため巻取りドラム１３も一方向に回転するので、昇降コード１４は巻取りドラム１３に巻取られて複数の幕体１６ｃはたくし上げられる。ここで操作コード１８の引下げ操作を一旦停止すると、第１転動体３１が第１中溝２１ｂから第１Ｖ字溝２１ｄに入った後に第１凹部２１ｅに収容されて、円筒カム１９のケース２３に対する回転が停止する。このとき第２転動体３２は第２端溝２２ａから第２連結溝２２ｃに入る。また幕体１６ｃ等の自重により昇降コード１４が巻取りドラム１３から繰出される方向に荷重が掛かるけれども、第１転動体３１が第１凹部２１ｅに収容されているので、巻取りドラム１３の他方向への回転が阻止される。この結果、操作コード１８から手を離しても複数の幕体１６ｃが展開されることはなく、複数の幕体１６ｃは操作コード１８の引下げ操作の停止した位置で一時的に固定される。再び操作コード１８のうち幕体１６ｃの正面側に位置する部分を引下げ操作すると、第１クラッチ４１の第１転動体３１は第１Ｖ字溝２１ｄから第１連結溝２１ｃを通って第１中溝２１ｂに入り、第２転動体３２は第２連結溝２２ｃから第２端溝２２ａに入る（図１（ｃ））。そして上記と同様に、第１転動体３１は第１中溝２１ｂ内を転動し、第２転動体３２は第２端溝２２ａ内を転動し（図１（ａ））、昇降コード１４は巻取りドラム１３に巻取られて複数の幕体１６ｃはたくし上げられる。
【００３０】
上記たくし上げられた複数の幕体１６ｃを展開するときには、操作コード１８のうち幕体１６ｃの正面側に位置する部分を一方向に僅かに操作する（僅かに引下げ操作する）。この操作により第１転動体３１は第１Ｖ字溝２１ｄから第１連結溝２１ｃに入り、第２転動体３２は第２連結溝２２ｃ内を転動する（図１（ｃ））。そして操作コード１８の僅かな引下げ操作を停止すると、幕体１６ｃ等の自重により昇降コード１４が巻取りドラム１３から繰出される方向に荷重が掛かり、操作コード１８を把持する力を緩めると、第１転動体３１が第１連結溝２１ｃから第１端溝２１ａに入って、第１端溝２１ａ内を転動し、第２転動体３２は第２連結溝２２ｃから第２中溝２２ｂに入って、第２中溝２２ｂ内を転動するので（図１（ｄ））、巻取りドラム１３が他方向に回転する、即ち巻取りドラム１３が昇降コード１４を繰出す方向に回転する。この結果、操作コード１８を把持する力を緩めた状態に保つと、幕体１６ｃ等の自重により複数の幕体１６ｃは全て展開される。なお、上記操作コード１８の僅かな引下げ操作とは、第１転動体３１が第１凹部２１ｅから第１Ｖ字溝２１ｄを通って第１連結溝２１ｃに入る長さに相応する操作プーリ外周面における円弧の長さ以上であって、円筒カム１９が１回転する長さに相当する操作プーリ外周面における１周の長さ未満の引下げ操作をいう。
【００３１】
一方、複数の幕体１６ｃが全て展開した状態で、操作コード１８のうち幕体１６ｃの背面側に位置する部分を他方向に操作すると（引下げ操作すると）、操作プーリ、回転軸１２及び円筒カム１９が他方向に回転するので、第２クラッチ４２の第２転動体３２は第２中溝２２ｂ内を転動し、第１クラッチ４１の第１転動体３１は第１端溝２１ａ内を転動する（図２（ａ））。このため巻取りドラム１３も他方向に回転するので、昇降コード１４は巻取りドラム１３に巻取られて複数の幕体１６ｃはたくし上げられる。ここで操作コード１８の引下げ操作を一旦停止すると、第２転動体３２が第２中溝２２ｂから第２Ｖ字溝２２ｄに入った後に第２凹部２２ｅに収容されて、円筒カム１９のケース２３に対する回転が停止する。このとき第１転動体３１は第１端溝２１ａから第１連結溝２１ｃに入る。また幕体１６ｃ等の自重により昇降コード１４が巻取りドラム１３から繰出される方向に荷重が掛かるけれども、第２転動体３２が第２凹部２２ｅに収容されているので、巻取りドラム１３の一方向への回転が阻止される。この結果、操作コード１８から手を離しても複数の幕体１６ｃが展開されることはなく、複数の幕体１６ｃは操作コード１８の引下げ操作の停止した位置で一時的に固定される。再び操作コード１８のうち幕体１６ｃの背面側に位置する部分を引下げ操作すると、第２クラッチ４２の第２転動体３２は第２Ｖ字溝２２ｄから第２連結溝２２ｃを通って第２中溝２２ｂに入り、第１クラッチ４１の第１転動体３１は第１連結溝２１ｃから第１端溝２１ａに入る（図２（ｃ））。そして上記と同様に、第２転動体３２は第２中溝２２ｂ内を転動し、第１転動体３１は第１端溝２１ａ内を転動し（図２（ａ））、昇降コード１４は巻取りドラム１３に巻取られて複数の幕体１６ｃはたくし上げられる。
【００３２】
上記たくし上げられた複数の幕体１６ｃを展開するときには、操作コード１８のうち幕体１６ｃの背面側に位置する部分を他方向に僅かに操作する（僅かに引下げ操作する）。この操作により第２転動体３２は第２Ｖ字溝２２ｄから第２連結溝２２ｃに入り、第１転動体３１は第１連結溝２１ｃ内を転動する（図２（ｃ））。そして操作コード１８の僅かな引下げ操作を停止すると、幕体１６ｃ等の自重により昇降コード１４が巻取りドラム１３から繰出される方向に荷重が掛かり、操作コード１８を把持する力を緩めると、第２転動体３２が第２連結溝２２ｃから第２端溝２２ａに入って、第２端溝２２ａ内を転動し、第１転動体３１は第１連結溝２１ｃから第１中溝２１ｂに入って、第１中溝２１ｂ内を転動するので（図２（ｄ））、巻取りドラム１３が一方向に回転する、即ち巻取りドラム１３が昇降コード１４を繰出す方向に回転する。この結果、操作コード１８を把持する力を緩めた状態に保つと、幕体１６ｃ等の自重により複数の幕体１６ｃは全て展開される。なお、上記操作コード１８の僅かな引下げ操作とは、第２転動体３２が第２凹部２２ｅから第２Ｖ字溝２２ｄを通って第２連結溝２２ｃに入る長さに相応する操作プーリ外周面における円弧の長さ以上であって、円筒カム１９が１回転する長さに相当する操作プーリ外周面における１周の長さ未満の引下げ操作をいう。
【００３３】
このように複数の幕体１６ｃを全て展開すると、幕体１６ｃの正面側及び背面側という概念が払拭されるため、操作コード１８の一方向への回転及び他方向への回転の選択が不要となり、操作コード１８の幕体１６ｃ正面側に位置する部分又は幕体１６ｃ背面側に位置する部分のうち操作者に近い側の部分を操作することにより、幕体１６ｃを操作することができる。この結果、１本の操作コード１８を幕体１６ｃの正面側又は背面側のどちらから操作しても、複数の幕体１６ｃを展開したり或いはたくし上げることができる。
【００３４】
＜第２の実施の形態＞
図９〜図１９は本発明の第２の実施の形態を示す。図９〜図１９において図１〜図８と同一符号は同一部品を示す。この実施の形態では、カムクラッチ装置１７が二重スクリーン日射遮蔽装置６０の巻取り装置として用いられる（図１１〜図１３）。この日射遮蔽装置６０は、部屋の壁面又は天井に取付けられたヘッドレール６１と、このヘッドレール６１に上端がそれぞれ取付けられヘッドレール６１の長さと略同一の幅を有する前幕６２及び後幕６３と、ヘッドレール６１から昇降可能に垂下されて前幕６２及び後幕６３にそれぞれ連結された前幕用昇降コード６４及び後幕用昇降コード６６とを備える（図１４〜図１６）。前幕６２はヘッドレール６１の正面に取付けられ、後幕６３はヘッドレール６１の背面に取付けられる。
【００３５】
ヘッドレール６１内の前部には前幕用ドラム６７が設けられ、この前幕用ドラム６７を一方向又は他方向に回転させることにより前幕用昇降コード６４が前幕用ドラム６７に巻取られるか或いは前幕用ドラム６７から繰出されるように構成される（図１１〜図１３）。具体的には、ヘッドレール６１内の前部にこのレール６１の長手方向に延びる前幕用軸部６８が設けられる。この前幕用軸部６８は前幕用ロッド６９と前幕用ねじ棒７１とを有し、前幕用ロッド６９及び前幕用ねじ棒７１はこれらの軸線が一致しかつ互いに対向するように設けられる。前幕用ロッド６９は比較的長い横断面略四角形の角柱部６９ａと比較的短い円柱部６９ｂとからなり、角柱部６９ａ及び円柱部６９ｂは同心状に一体的に形成される。円柱部６９ｂの基端がヘッドレール６１の一端に回転可能に取付けられる。これにより角柱部６９ａがヘッドレール６１の内方に延び、円柱部６９ｂがヘッドレール６１外に延びるように構成される。また前幕用ねじ棒７１はその基端がヘッドレール６１の他端に回転不能に取付けられ、前幕用ねじ棒７１の先端はヘッドレール６１の内方に延びるように設けられる。上記前幕用ドラム６７は両端が閉止された比較的大径の円筒状に形成される。そして前幕用ドラム６７の一端は前幕用ロッド６９の角柱部６９ａに回転不能であって軸方向に摺動可能に嵌入され、他端は前幕用ねじ棒７１に螺合される。この前幕用ドラム６７の外周面には２本の前幕用昇降コード６４，６４の上端が所定の間隔をあけてそれぞれ取付けられる。
【００３６】
一方、ヘッドレール６１内の後部には後幕用ドラム７２が設けられ、この後幕用ドラム７２を一方向又は他方向に回転させることにより後幕用昇降コード６６が後幕用ドラム７２に巻取られるか或いは後幕用ドラム７２から繰出されるように構成される（図１１〜図１３）。具体的には、ヘッドレール６１内の後部にこのレール６１の長手方向に延びる後幕用軸部７３が設けられる。後幕用軸部７３は後幕用ロッド７４と後幕用ねじ棒７６とを有し、後幕用ロッド７４及び後幕用ねじ棒７６はこれらの軸線が一致しかつ互いに対向するように設けられる。後幕用ロッド７４は比較的長い横断面略四角形の角柱部７４ａと比較的短い円柱部７４ｂとからなり、角柱部７４ａ及び円柱部７４ｂは同心状に形成される。また角柱部７４ａの基部にはカムクラッチ装置１７とスピードコントローラ２４が設けられる。このカムクラッチ装置１７は、円筒カム１９が後幕用ロッド７４の角柱部７４ａに嵌着されたこと以外は第１の実施の形態のカムクラッチ装置と同一に構成される（図９、図１０及び図１７〜図１９）。円柱部７４ｂの基端がヘッドレール６１の一端に回転可能に取付けられる。これによりカムクラッチ装置１７及びスピードコントローラ２４がヘッドレール６１内に位置しかつ角柱部７４ａがヘッドレール６１の内方に延び、円柱部７４ｂがヘッドレール６１外に延びるように構成される。また後幕用ねじ棒７６はその基端がヘッドレール６１の他端に回転不能に取付けられ、後幕用ねじ棒７６の先端はヘッドレール６１の内方に延びるように設けられる。上記後幕用ドラム７２は両端が閉止された比較的大径の円筒状に形成される。そして後幕用ドラム７２の一端はスリーブ７７を介して後幕用ロッド７４の角柱部７４ａに嵌入され、他端は後幕用ねじ棒７６に螺合される。スリーブ７７は、後幕用ドラム７２の一端に螺合する雄ねじ部７７ａと、雄ねじ部７７ａと一体的に形成され後幕用ドラム７２の外径と略同一の外径を有する頭部７７ｂと、後幕用軸部７３の角柱部７４ａに回転不能であって軸方向に摺動可能に嵌入される角孔７７ｃとを有する。また後幕用ドラム７２の外周面には２本の後幕用昇降コード６６，６６の上端が所定の間隔をあけてそれぞれ取付けられる。
【００３７】
なお、図９及び図１０において、カムクラッチ装置１７の第１及び第２転動体３１，３２が第１及び第２カム溝２１，２２内を移動するように描かれているけれども、実際には第１及び第２転動体３１，３２はケース２３に形成されたガイド溝２３ａ内を軸方向に移動するだけであって、円筒カム１９が実線矢印とは反対方向に回転している。また図９（ａ）及び図１０（ａ）の破線矢印は操作コード８４のうち後幕６３側に位置する部分を引下げたときの円筒カム１９の回転方向であり、図９（ａ）及び図１０（ａ）の一点鎖線矢印は操作コード８４のうち前幕６２側に位置する部分を引下げたときの円筒カム１９の回転方向である。
【００３８】
前幕用軸部６８の円柱部７４ｂの先端には前幕用歯車７８が嵌着され、後幕用軸部７３の円柱部７４ｂの先端には後幕用歯車７９が嵌着される（図１１〜図１６）。これらの歯車７８，７９は同一形状に形成され、ヘッドレール６１の一端に取付けられたキャップ８０内に収容される。またヘッドレール６１及びキャップ８０間に駆動軸８１が回転可能に保持され、この駆動軸８１に駆動歯車８２及び操作プーリ８３が嵌着される。上記駆動歯車８２は前幕用歯車７８及び後幕用歯車７９に噛合し、操作プーリ８３には１本の操作コード８４が巻掛けられる。なお、２本の前幕用昇降コード６４，６４は、前幕用ドラム６７からそれぞれ垂下され、前幕６２の背面に鉛直方向に所定の間隔をあけて取付けられた複数の前幕用コードリング８６に挿通されて鉛直下方に配索された後、前幕６２の下端に取付けられた前幕用ウエイトバー８７にそれぞれ連結される（図１４〜図１６）。また２本の後幕用昇降コード６６，６６は、後幕用ドラム７２からそれぞれ垂下され、後幕６３の挿通孔（図示せず）に挿通された後に、後幕６３の背面に鉛直方向に所定の間隔をあけて取付けられた複数の後幕用コードリング８８に挿通されて鉛直下方に配索され、更に後幕６３の下端に取付けられた後幕用ウエイトバー８９にそれぞれ連結される。なお、この実施の形態では、前幕用ねじ棒７１及び後幕用ねじ棒７６は右ねじであり、スリーブ７７の雄ねじ部７７ａは左ねじである。また前幕用ねじ棒７１及び後幕用ねじ棒７６のねじピッチは前幕用昇降コード６４及び後幕用昇降コード６６の太さと略同一に形成される。
【００３９】
このように構成された二重スクリーン日射遮蔽装置６０の使用方法を説明する。前幕６２及び後幕６３が全て展開した状態で、操作コード８４のうち後幕６３側に位置する部分を一方向に操作すると（引下げ操作すると）、操作プーリ８３及び駆動歯車８２が他方向に回転し、後幕用歯車７９及び円筒カム１９が一方向に回転するので、第１クラッチ４１の第１転動体３１は第１中溝２１ｂ内を転動し、第２クラッチ４２の第２転動体３２は第２端溝２２ａ内を転動する（図９（ａ））。このため後幕用ロッド７４が一方向に回転するので、雄ねじ部７７ａが後幕用ドラム７２に対してねじ込まれる方向にスリーブ７７が回転するとともに、後幕用ドラム７２が後幕用ねじ棒７６から抜ける方向に回転する。この結果、後幕用ドラム７２は一方向に回転するとともに、カムクラッチ装置１７に近づく方向に移動するので、後幕用昇降コード６６が後幕用ドラム７２に一重螺旋状に巻取られて後幕６３が畳み上げられる（図１２及び図１５）。上記操作コード８４の引下げ操作により、前幕用歯車７８、前幕用ロッド６９及び前幕用ドラム６７が駆動歯車８２により駆動されて円筒カム１９と同一の方向、即ち一方向に回転するので、前幕用ドラム６７が前幕用ねじ棒７１から抜ける方向に回転する。このため前幕用ドラム６７は一方向に回転するとともに、前幕用歯車７８に近づく方向に移動するので、前幕用昇降コード６４が前幕用ドラム６７に一重螺旋状に巻取られて前幕６２が畳み上げられる（図１２及び図１５）。
【００４０】
ここで操作コード８４の引下げ操作を一旦停止すると、第１転動体３１が第１中溝２１ｂから第１Ｖ字溝２１ｄに入った後に第１凹部２１ｅに収容されて、円筒カム１９のケース２３に対する回転が停止する。このとき第２転動体３２は第２端溝２２ａから第２連結溝２２ｃに入る。また前幕６２及び後幕６３等の自重により前幕用昇降コード及び後幕用昇降コードが前幕用ドラム６７及び後幕用ドラム７２からそれぞれ繰出される方向に荷重が掛かるけれども、第１転動体３１が第１凹部２１ｅに収容されているので、前幕用ドラム６７及び後幕用ドラム７２の他方向への回転が阻止される。この結果、操作コード８４から手を離しても前幕６２及び後幕６３が展開されることはなく、前幕６２及び後幕６３は操作コード８４の引下げ操作の停止した位置で一時的に固定される。再び操作コード８４のうち後幕６３側に位置する部分を引下げ操作すると、第１クラッチ４１の第１転動体３１は第１Ｖ字溝２１ｄから第１連結溝２１ｃを通って第１中溝２１ｂに入り、第２転動体３２は第２連結溝２２ｃから第２端溝２２ａに入る（図９（ｃ））。そして上記と同様に、第１転動体３１は第１中溝２１ｂ内を転動し、第２転動体３２は第２端溝２２ａ内を転動し（図９（ａ））、後幕用昇降コード６６が後幕用ドラム７２に巻取られて後幕６３が畳み上げられるとともに、前幕用昇降コード６４が前幕用ドラム６７に巻取られて前幕６２が畳み上げられる（図１２及び図１５）。
【００４１】
上記畳み上げられた前幕６２及び後幕６３を展開するときには、操作コード８４のうち前幕６２側に位置する部分を一方向に僅かに操作する（僅かに引下げ操作する）。この操作により第１転動体３１は第１Ｖ字溝２１ｄから第１連結溝２１ｃに入り、第２転動体３２は第２連結溝２２ｃ内を転動する（図９（ｃ））。そして操作コード８４の僅かな引下げ操作を停止すると、前幕６２及び後幕６３等の自重により前幕用昇降コード６４及び後幕用昇降コード６６が前幕用ドラム６７及び後幕用ドラム７２からそれぞれ繰出される方向に荷重が掛かり、操作コード８４を把持する力を緩めると、第１転動体３１が第１連結溝２１ｃから第１端溝２１ａに入って、第１端溝２１ａ内を転動し、第２転動体３２は第２連結溝２２ｃから第２中溝２２ｂに入って、第２中溝２２ｂ内を転動するので（図９（ｄ））、前幕用ドラム６７及び後幕用ドラム７２が他方向にそれぞれ回転する、即ち前幕用ドラム６７及び後幕用ドラム７２が前幕用昇降コード６４及び後幕用昇降コード６６を繰出す方向にそれぞれ回転する。この結果、操作コード８４を把持する力を緩めた状態に保つと、前幕６２及び後幕６３等の自重により前幕６２及び後幕６３が全て展開される（図１１及び図１４）。なお、上記操作コード８４の僅かな引下げ操作とは、第１の実施の形態の操作コードの僅かな引下げ操作と同一である。
【００４２】
一方、前幕６２及び後幕６３が全て展開した状態で、操作コード８４のうち前幕６２側に位置する部分を他方向に操作すると（引下げ操作すると）、操作プーリ８３及び駆動歯車８２が一方向に回転し、後幕用歯車７９及び円筒カム１９が他方向に回転するので、第２クラッチ４２の第２転動体３２は第２中溝２２ｂ内を転動し、第１クラッチ４１の第１転動体３１は第１端溝２１ａ内を転動する（図１０（ａ））。このため後幕用ロッド７４が他方向に回転するので、雄ねじ部７７ａが後幕用ドラム７２に対して緩む方向にスリーブ７７が回転する。この結果、スリーブ７７のみが回転して後幕用ドラム７２は回転しないので、後幕用昇降コード６６が後幕用ドラム７２に巻取られず、後幕６３は畳み上げられないで展開した状態に保たれる（図１３及び図１６）。上記操作コード８４の引下げ操作により、前幕用歯車７８、前幕用ロッド６９及び前幕用ドラム６７が駆動歯車８２により駆動されて円筒カム１９と同一の方向、即ち他方向に回転するので、前幕用ドラム６７が前幕用ねじ棒７１にねじ込まれる方向に回転する。このため前幕用ドラム６７は他方向に回転するとともに、前幕用歯車７８から離れる方向に移動するので、前幕用昇降コード６４が前幕用ドラム６７に一重螺旋状に巻取られて前幕６２が畳み上げられる（図１３及び図１６）。
【００４３】
ここで操作コード８４の引下げ操作を一旦停止すると、第２転動体３２が第２中溝２２ｂから第２Ｖ字溝２２ｄに入った後に第２凹部２２ｅに収容されて、円筒カム１９のケース２３に対する回転が停止する。このとき第１転動体３１は第１端溝２１ａから第１連結溝２１ｃに入る。また前幕６２等の自重により前幕用昇降コード６４が前幕用ドラム６７から繰出される方向に荷重が掛かるけれども、第２転動体３２が第２凹部２２ｅに収容されているので、円筒カム１９の一方向への回転が阻止されることにより、前幕用歯車７８、前幕用ロッド６９及び前幕用ドラム６７の一方向への回転が阻止される。この結果、操作コード８４から手を離しても前幕６２が展開されることはなく、前幕６２は操作コード８４の引下げ操作の停止した位置で一時的に固定される。再び操作コード８４のうち前幕６２側に位置する部分を引下げ操作すると、第２クラッチ４２の第２転動体３２は第２Ｖ字溝２２ｄから第２連結溝２２ｃを通って第２中溝２２ｂに入り、第１クラッチ４１の第１転動体３１は第１連結溝２１ｃから第１端溝２１ａに入る（図１０（ｃ））。そして上記と同様に、第２転動体３２は第２中溝２２ｂ内を転動し、第１転動体３１は第１端溝２１ａ内を転動し（図１０（ａ））、後幕用ロッド７２がスリーブ７７ととともに他方向に回転するけれども、後幕用ドラム７２には後幕用昇降コード６６を介して後幕６３等の荷重が掛かっているため、後幕用ドラム７２は回転しない。前幕用昇降コード６４は、上記操作コード８４の引下げ操作により、前幕用歯車７８、前幕用ロッド６９及び前幕用ドラム６７が駆動歯車８２により駆動されて他方向に回転するので、前幕用ドラム６７が前幕用ねじ棒７１にねじ込まれる方向に回転する。このため前幕用ドラム６７は他方向に回転するとともに、前幕用歯車７８から離れる方向に移動するので、前幕用昇降コード６４が前幕用ドラム６７に一重螺旋状に巻取られて前幕６２が畳み上げられる（図１３及び図１６）。このようにして後幕６３を展開した状態で前幕６２のみを畳み上げることができる（図１６）。
【００４４】
上記畳み上げられた前幕６２を展開するときには、操作コード８４のうち前幕６２側に位置する部分を他方向に僅かに操作する（僅かに引下げ操作する）。この操作により第２転動体３２は第２Ｖ字溝２２ｄから第２連結溝２２ｃに入り、第１転動体３１は第１連結溝２１ｃ内を転動する（図１０（ｃ））。そして操作コード８４の僅かな引下げ操作を停止すると、前幕６２等の自重により前幕用昇降コード６４が前幕用ドラム６７から繰出される方向に荷重が掛かり、操作コード８４を把持する力を緩めると、第２転動体３２が第２連結溝２２ｃから第２端溝２２ａに入って、第２端溝２２ａ内を転動し、第１転動体３１は第１連結溝２１ｃから第１中溝２１ｂに入って、第１中溝２１ｂ内を転動するので（図１０（ｄ））、前幕用ドラム６７が円筒カム１９、後幕用歯車７９、駆動歯車８２、前幕用歯車７８及び前幕用ロッド６９を介して一方向に回転する、即ち前幕用ドラム６７が前幕用昇降コード６４を繰出す方向に回転する。この結果、操作コード８４を把持する力を緩めた状態に保つと、前幕６２等の自重により前幕６２は全て展開される。このとき円筒カム１９の他方向の回転に伴って、後幕用ロッド７４がスリーブ７７とともに一方向に回転するので、後幕用ドラム７２が回転しない状態で、スリーブ７７の雄ねじ部７７ａが後幕用ドラム７２にねじ込まれていく。なお、上記操作コード８４の僅かな引下げ操作とは、第１の実施の形態の操作コードの僅かな引下げ操作と同一である。このように後幕用軸部７３の後幕用ロッド７４の回転が一方向から他方向に変わっても、１個のカムクラッチ装置１７及び１本の操作コード８４で対応が可能である。この結果、１本の操作コード８４を操作することにより、前幕６２及び後幕６３を同時に又は前幕６２のみを展開可能に畳み上げることができる。
【００４５】
なお、上記第１の実施の形態では、遮蔽部材としてピッチキープコードにより所定の間隔をあけて複数枚の幕体を吊下げ、これらの幕体を昇降コードにより下側から順次たくし上げるように構成したが、１枚の幕体をヘッドレールから吊下げ、この幕体を昇降コードにより下側から畳み上げるように構成してもよい。また、上記第１の実施の形態では、昇降コードを巻取りドラムに繰出し可能に巻取るように構成したが、昇降コードを巻取り軸に繰出し可能に巻取るように構成してもよい。また、上記第２の実施の形態では、前幕用昇降コードを前幕用ドラムに繰出し可能に巻取り、後幕用昇降コードを後幕用ドラムに繰出し可能に巻取るように構成したが、前幕用昇降コードを前幕用巻取り軸に繰出し可能に巻取り、後幕用昇降コードを後幕用巻取り軸に繰出し可能に巻取るように構成してもよい。また、第１の実施の形態では、カムクラッチ装置を間仕切り装置の巻取り装置として用い、第２の実施の形態では、カムクラッチ装置を二重スクリーン日射遮蔽装置の巻取り装置として用いたが、カムクラッチ装置をウインチやクレーン等の巻取り装置として用いてもよい。更に、第２の実施の形態では、カムクラッチ装置を後幕用軸部に設けたが、カムクラッチ装置を前幕用軸部に設けてもよい。この場合、前幕及び後幕を同時に展開可能に畳み上げることができるとともに、後幕のみを展開可能に畳み上げることができる。
【符号の説明】
【００４６】
１０  間仕切り装置
１２  回転軸
１３  巻取りドラム（ドラム）
１４  昇降コード（線状体）
１７  カムクラッチ装置
１８，８４  操作コード（操作具）
１９  円筒カム（カム）
２１  第１カム溝
２２  第２カム溝
４１  第１クラッチ
４２  第２クラッチ
６０  二重スクリーン日射遮蔽装置
６２  前幕
６３  後幕
６４  前幕用昇降コード（線状体）
６６  後幕用昇降コード（線状体）
６７  前幕用ドラム（ドラム）
６８  前幕用軸部
７２  後幕用ドラム（ドラム）
７３  後幕用軸部
【図１】
2011104155.tif 000003
【図２】
2011104155.tif 000004
【図３】
2011104155.tif 000005
【図４】
2011104155.tif 000006
【図５】
2011104155.tif 000007
【図６】
2011104155.tif 000008
【図７】
2011104155.tif 000009
【図８】
2011104155.tif 000010
【図９】
2011104155.tif 000011
【図１０】
2011104155.tif 000012
【図１１】
2011104155.tif 000013
【図１２】
2011104155.tif 000014
【図１３】
2011104155.tif 000015
【図１４】
2011104155.tif 000016
【図１５】
2011104155.tif 000017
【図１６】
2011104155.tif 000018
【図１７】
2011104155.tif 000019
【図１８】
2011104155.tif 000020
【図１９】
2011104155.tif 000021